(57)【特許請求の範囲】
【請求項１】
着信不能な理由を説明する文言及び着信不能な時間帯の入力を受付可能な着信側電話端末と、
前記入力された着信不能な理由を説明する文言及び着信不能な時間帯を記憶する記憶手段と、
発信側電話端末から前記着信側電話端末宛に電話がかけられた時刻が前記記憶されている着信不能な時間帯の範囲内である場合に、該発信側電話端末に対して、前記記憶されている着信不能な理由を説明する文言及び着信不能な時間帯を告知するための処理を行う告知手段と、
を少なくとも含む着信不能案内システムであって、
前記着信側電話端末は、着信不能な時間帯の入力を受け付けるにあたり、該着信不能な時間帯の開始時刻及び終了時刻の項に現在の時刻を表示すると共に、前記入力の受付が可能である旨を表すカーソルを前記終了時刻の項に表示し、該カーソルが移動された前記終了時刻及び前記開始時刻の各欄において前記入力を受け付けることを特徴とする着信不能案内システム。
【請求項２】
請求項１に記載した着信不能案内システムであって、
前記記憶手段及び告知手段は、前記着信側電話端末に備えられることを特徴とする着信不能案内システム。
【請求項３】
請求項１に記載した着信不能案内システムであって、
前記記憶手段及び告知手段は、電話交換を行う交換機と通信可能に接続され、着信不能な状態の前記着信側電話端末への伝言を録音可能な録音装置を有する留守番電話センタに備えられることを特徴とする着信不能案内システム。
【請求項４】
請求項１〜３のいずれか１つに記載した着信不能案内システムであって、
前記着信不能な理由を説明する文言は、前記着信側電話端末に備えられる表示画面に表示される予め設定された複数種類の文言から選択されて入力されることを特徴とする着信不能案内システム。
【請求項５】
請求項１〜４のいずれか１つに記載した着信不能案内システムであって、
前記着信不能な理由を説明する文言として、前記着信側電話端末の所持者が希望する文言を設定可能であることを特徴とする着信不能案内システム。
【請求項６】
請求項１〜５のいずれか１つに記載した着信不能案内システムであって、
前記告知手段は、発信側電話端末から前記着信側電話端末宛に電話がかけられた時刻が前記記憶されている着信不能な時間帯の範囲内である場合に、該発信側電話端末に対して、予め設定された所定の暗証番号の入力を要求するための処理を行い、該発信側電話端末から、前記予め設定された所定の暗証番号が入力された場合に、該発信側電話端末に対して、前記記憶されている着信不能な理由を説明する文言及び着信不能な時間帯を告知するための処理を行うことを特徴とする着信不能案内システム。
【発明の詳細な説明】
【技術分野】
【０００１】
本発明は、着信が行われる携帯電話端末や固定電話端末（以下「着信側電話端末」という。）において様々な事情で着信不能である場合に、発信が行われた携帯電話端末や固定電話端末（以下「発信側電話端末」という。）において着信不能な理由及び着信不能な時間帯の案内が可能な、着信不能案内システムに関する。
【背景技術】
【０００２】
近年普及している携帯電話システムにおいては、着信側携帯電話端末において様々な事情で着信不能である場合に、発信側携帯電話端末においてその旨の案内が行われる運用がなされている。具体的には、例えば着信不能である場合として、着信側携帯電話端末が電波圏外にある場合や着信側携帯電話端末の電源が入っていない場合には、発信側携帯電話端末において「おかけになった電話は、電波の届かない場所にあるか、電源が入っていないため、かかりません。」という案内が行われ、また着信側携帯電話端末においていわゆるドライブモード機能の設定が行われている場合には、発信側携帯電話端末において「只今運転中のため電話に出られません。後ほどおかけ直し下さい。」という案内が行われる。
【０００３】
これらの場合において、留守番電話センタで伝言を預かるいわゆる留守番電話サービス機能や、着信側携帯電話端末で伝言を録音するいわゆる伝言メモ機能の設定が行われている場合には、発信側が伝言を行うことが可能である。
【発明の開示】
【発明が解決しようとする課題】
【０００４】
しかしながら、従来の携帯電話システムでは、着信不能である場合において、前記の場合以外についてはなぜ電話に出られないか（即ち着信不能な理由）を案内するものではなかった。
【０００５】
また着信不能である場合において、自動的に着信を拒否すると共に着信不能な理由を案内する通信システムは、日本国特許公開平８−２５１２３１号公報に開示されているが、該通信システムも、いつまで電話に出られないか（即ち着信不能な時間帯）を案内するものではない。即ち、例えば短時間の電車乗車中や会議中等の理由で、電話に出られないのが比較的短時間であるのか、又は長時間の電波圏外中や海外旅行中等の理由で、電話に出られないのが比較的長時間であるのか等を区別して案内をするものではないため、発信側に対する着信不能の案内としては不十分なものであった。
【０００６】
なおかかる問題点は、着信側固定電話端末と発信側固定電話端末との間で通信が行われる固定電話システムや、携帯電話端末と固定電話端末との組み合わせにおいても同様に生ずるものである。
【０００７】
本発明は、このような背景のもとになされたものであり、その目的は、着信側電話端末において様々な事情で着信不能である場合に、着信側電話端末において簡単な操作を行うことにより、発信側電話端末において着信不能な理由及び着信不能な時間帯の案内が可能な、着信不能案内システムを提供することにある。
【課題を解決するための手段】
【０００８】
本発明は、前記課題を解決するために、次のような手段を採る。
【０００９】
まず請求項１に係る発明は、着信不能な理由を説明する文言及び着信不能な時間帯の入力を受付可能な着信側電話端末と、前記入力された着信不能な理由を説明する文言及び着信不能な時間帯を記憶する記憶手段と、発信側電話端末から前記着信側電話端末宛に電話がかけられた時刻が前記記憶されている着信不能な時間帯の範囲内である場合に、該発信側電話端末に対して、前記記憶されている着信不能な理由を説明する文言及び着信不能な時間帯を告知するための処理を行う告知手段と、を少なくとも含む着信不能案内システムであって、前記着信側電話端末は、着信不能な時間帯の入力を受け付けるにあたり、該着信不能な時間帯の開始時刻及び終了時刻の項に現在の時刻を表示すると共に、前記入力の受付が可能である旨を表すカーソルを前記終了時刻の項に表示し、該カーソルが移動された前記終了時刻及び前記開始時刻の各欄において前記入力を受け付けることを特徴とする着信不能案内システムである。
【００１０】
また請求項２に係る発明は、請求項１に記載した着信不能案内システムであって、前記記憶手段及び告知手段は、前記着信側電話端末に備えられることを特徴とする着信不能案内システムである。
【００１１】
また請求項３に係る発明は、請求項１に記載した着信不能案内システムであって、前記記憶手段及び告知手段は、電話交換を行う交換機と通信可能に接続され、着信不能な状態の前記着信側電話端末への伝言を録音可能な録音装置を有する留守番電話センタに備えられることを特徴とする着信不能案内システムである。
【００１２】
また請求項４に係る発明は、請求項１〜３のいずれか１つに記載した着信不能案内システムであって、前記着信不能な理由を説明する文言は、前記着信側電話端末に備えられる表示画面に表示される予め設定された複数種類の文言から選択されて入力されることを特徴とする着信不能案内システムである。
【００１３】
また請求項５に係る発明は、請求項１〜４のいずれか１つに記載した着信不能案内システムであって、前記着信不能な理由を説明する文言として、前記着信側電話端末の所持者が希望する文言を設定可能であることを特徴とする着信不能案内システムである。
【００１４】
さらに請求項６に係る発明は、請求項１〜５のいずれか１つに記載した着信不能案内システムであって、前記告知手段は、発信側電話端末から前記着信側電話端末宛に電話がかけられた時刻が前記記憶されている着信不能な時間帯の範囲内である場合に、該発信側電話端末に対して、予め設定された所定の暗証番号の入力を要求するための処理を行い、該発信側電話端末から、前記予め設定された所定の暗証番号が入力された場合に、該発信側電話端末に対して、前記記憶されている着信不能な理由を説明する文言及び着信不能な時間帯を告知するための処理を行うことを特徴とする着信不能案内システムである。
【発明の効果】
【００１５】
まず請求項１に係る発明によれば、着信側電話端末において様々な事情で着信不能である場合に、発信側電話端末において、着信側電話端末により入力された着信不能な理由を説明する文言及び着信不能な時間帯の案内が可能であり、発信側に対する着信不能の案内が十分に行われるため、携帯電話システムや固定電話システムの利便性が飛躍的に向上する。しかも着信側電話端末において着信不能な時間帯の入力を受け付けるにあたり、該着信不能な時間帯の開始時刻及び終了時刻の項に現在の時刻を表示すると共に、前記入力の受付が可能である旨を表すカーソルを前記終了時刻の項に表示し、該カーソルが移動された前記終了時刻及び前記開始時刻の各欄において前記入力を受け付けるため、着信側携帯電話端末において簡単な操作を行うことにより、着信不能時間帯の設定を行うことができる。
【００１６】
また請求項２に係る発明によれば、記憶手段及び告知手段が、着信側電話端末に備えられているので、着信側電話端末により自ら前記案内が可能となる。
【００１７】
また請求項３に係る発明によれば、記憶手段及び告知手段が、電話交換を行う交換機と通信可能に接続され、着信不能な状態の着信側電話端末への伝言を録音可能な録音装置を有する留守番電話センタに備えられているので、例えば着信側電話端末が携帯電話端末である場合において、該携帯電話端末が電波圏外にある場合や該携帯電話端末の電源が入っていない場合にも、留守番電話センタにより前記案内が可能となる。
【００１８】
また請求項４に係る発明によれば、着信不能な理由を説明する文言が、着信側電話端末に備えられる表示画面に表示される予め設定された複数種類の文言から選択されて入力されるので、着信側電話端末において簡単な操作を行うことにより、着信不能な理由の入力が可能となる。
【００１９】
また請求項５に係る発明によれば、着信不能な理由を説明する文言として、着信側電話端末の所持者が希望する文言を設定可能であるので、着信側の都合に合わせた着信不能な理由の設定が可能となる。
【００２０】
さらに請求項６に係る発明によれば、暗証番号が入力された場合に、発信側電話端末に対して、記憶手段に記憶されている着信不能な理由を説明する文言及び着信不能な時間帯を告知するための処理を行うので、無差別に告知を行うのではなく、例えばプライバシーに関する理由や時間帯等については告知を行わないようにすることができる。
【発明を実施するための最良の形態】
【００２１】
以下、本発明の実施形態を、図面を参照して説明する。
【００２２】
［１．着信不能案内システムの構成］
まず本発明に係る着信不能案内システム１の構成について説明する。ここで図１は着信不能案内システム１の一例を表す機能ブロック図である。以下においては、着信側電話端末が携帯電話端末（以下着信側携帯電話端末１０」という。）であり、発信側電話端末が携帯電話端末（以下「発信側携帯電話端末２０」という。）である場合、即ち携帯電話システムに適用される場合を念頭に説明を行う。
【００２３】
着信不能案内システム１は、図１に示すように、無線基地局２と、交換機４，録音装置５，及びコンピュータ６を備える留守番電話センタ３と、着信側携帯電話端末１０と、発信側携帯電話端末２０とを含んでいる。また着信不能案内システム１は、記憶手段及び告知手段を含むものであり、第１実施形態に係る着信不能案内システム１においては、それらは着信側携帯電話端末１０に備えられており、第２実施形態に係る着信不能案内システム１においては、それらはコンピュータ６に備えられている。さらに第１又は第２の両実施形態とは着信不能な時間帯の設定方法が異なる変形例に係る着信不能案内システム１においては、着信側携帯電話端末１０に演算手段が備えられている。
【００２４】
ここで記憶手段は、着信側携帯電話端末１０により入力された着信不能な理由を説明する文言及び着信不能な時間帯を記憶するものである。この記憶手段は、第１実施形態では着信側携帯電話端末１０に備えられる後述するＥＥＰＲＯＭであり、また第２実施形態ではコンピュータ６に備えられる後述するハードディスクである。
【００２５】
また告知手段は、発信側携帯電話端末２０から着信側携帯電話端末１０宛に電話がかけられた時刻が、着信不能な時間帯の範囲内である場合に、発信側携帯電話端末２０に対して、記憶手段に記憶されている着信不能な理由を説明する文言及び着信不能な時間帯を告知するための処理を行うものである。この告知手段は、第１実施形態では着信側携帯電話端末１０に備えられる後述するＣＰＵであり、また第２実施形態ではコンピュータ６に備えられる後述するＣＰＵであり、それらによる制御に基づいて、例えば自動音声にて告知を行う自動音声合成手段や、文字情報にて告知を行う電子メール送信手段が作動することにより、着信不能な理由を説明する文言及び着信不能な時間帯の告知が行われる。
【００２６】
さらに変形例に係る演算手段は、着信側携帯電話端末１０により入力された着信不能な時間に基づいて着信可能となる時刻を演算するものであり、具体的には、後述する図５のＤ１１８’に示すように、現在の時刻が９：３０である場合において、着信不能な時間が１時間３０分と入力された場合に、着信可能となる時刻を１１：００と演算するものである。この演算手段は、着信側携帯電話端末１０に備えられる後述するＣＰＵである。なお着信不能な時間の入力を受け付けた時刻（ここでは９：３０）から着信可能となる時刻（ここでは１１：００）までが、前記着信不能な時間帯として前記記憶手段に記憶される。
【００２７】
以下、各構成要素について説明を行う。図１に示すように、無線基地局２は、着信側携帯電話端末１０や発信側携帯電話端末２０と通信を行うものである。また交換機４は、留守番電話センタ３外の無線基地局２や加入者線電話網の中継交換機（図示外）等と接続されると共に、留守番電話センタ３内の録音装置５やコンピュータ６等と接続され、ダイヤル番号から回線を選んでつなぐものである。さらに録音装置５は、着信不能な状態の着信側携帯電話端末１０への伝言を録音可能なものである。これら無線基地局２，交換機４，及び録音装置５は、いずれも一般的なものである。
【００２８】
コンピュータ６は、演算機能を備える中央演算処理装置（ＣＰＵ），メモリ機能を備えるＲＡＭ，所定のプログラムを記録しているＲＯＭ，大容量記憶装置であるハードディスク等（いずれも図示外）を有する一般的なものである。第２実施形態では、ハードディスクが記憶手段として機能し、ＣＰＵが告知手段として機能する。
【００２９】
着信側携帯電話端末１０は、前記ＣＰＵ，ＲＡＭ，ＲＯＭ，及び不揮発性の半導体記憶素子であるＥＥＰＲＯＭ等（いずれも図示外）を有する一般的なものである。第１実施形態ではＥＥＰＲＯＭが記憶手段として機能し、ＣＰＵが告知手段として機能する。また変形例ではＣＰＵが演算手段として機能する。
【００３０】
この着信側携帯電話端末１０は、着信不能な理由を説明する文言及び着信不能な時間帯の入力を受付可能なものであり、前者については、後述する図３のＤ１１４又はＤ１１５に示すように、着信側携帯電話端末１０に備えられる表示画面１１に表示される予め設定された複数種類の文言から選択されて入力され、又は同図のＤ１１６に示すように、着信側携帯電話端末１０の所持者が希望する文言が入力され、後者については、着信側携帯電話端末１０に備えられ、スライドカバー１２を下方にスライドさせたときに露出するテンキー（図示外）が操作されて入力される。なお変形例に係る着信側携帯電話端末１０では、前記着信不能な時間帯に代えて、着信不能な時間の入力を受付可能である（後述する図５のＤ１１８’を参照）。
【００３１】
また着信側携帯電話端末１０は、着信不能な理由を説明する文言及び着信不能な時間帯の告知が行われるための告知条件の入力を受付可能である（後述する図２のＤ１１３を参照）。ここで告知条件は、例えば発信側携帯電話端末２０の電話番号が着信側携帯電話端末１０にメモリされている場合や、発信側携帯電話端末２０から予め設定された所定の暗証番号が入力された場合等である。なお告知条件はこれらの例には限定されず、例えば告知すべき電話番号を理由や時間帯毎に個別に登録可能としても良く、また暗証番号を理由や時間帯毎に個別に変更可能としても良い。
【００３２】
発信側携帯電話端末２０も、着信側携帯電話端末１０と同様の一般的なものであり、ここでは図１のＤ２１１又はＤ２１１’に示すように、着信不能な理由を説明する文言及び着信不能な時間帯を文字情報にて表示可能な表示画面２１を備えている。
【００３３】
［２．着信不能案内システムの作用］
次に本発明に係る着信不能案内システム１の作用（即ち着信不能案内方法）について説明する。ここで図２〜図５は着信側携帯電話端末１０の表示画面１１に表示される表示内容の一例を表す図である。以下においては、まず第１又は第２の両実施形態に係る着信不能案内システム１について説明し、次に第１又は第２の両実施形態とは着信不能な時間帯の設定方法が異なる変形例に係る着信不能案内システム１について説明する。なお変形例については、第１又は第２の両実施形態と異なるステップに「’」（ダッシュ）を付して表し、同一のステップについては重複する説明を省略する。
【００３４】
［２−１．第１又は第２の両実施形態に係る着信不能案内システム］
第１又は第２の両実施形態に係る着信不能案内システム１では、着信側携帯電話端末１０の表示画面１１に図２〜図４に示す画面が表示され、着信側携帯電話端末１０で所定の操作（ここでは十字キーの操作による選択，テンキーの操作による入力，決定キーの操作による決定）が行われることにより、着信不能な理由を説明する文言（以下「着信不能理由」という。）の設定が行われ、また着信側携帯電話端末１０で所定の操作（ここでは十字キーの操作による選択，テンキーの操作による入力，決定キーの操作による決定）が行われることにより、着信不能な時間帯（以下「着信不能時間帯」という。）の設定が行われる。
【００３５】
具体的には、表示画面１１に待受画面（図示外）が表示されている状態で、メニューボタン（図示外）が操作されて着信不能案内モードが選択されると、図２に示すＤ１１１でシステム設定又はシステム解除の選択を促す画面が表示される。
【００３６】
このＤ１１１で「システム解除」を選択する操作が行われると、Ｄ１１２で現在の設定が表示され、「ＯＫ」を選択する操作が行われると、現在設定されている着信不能理由及び着信不能時間帯の設定が解除されてＤ１１１に戻り、また「Cancel」を選択する操作が行われると、それらの設定は解除されずにＤ１１１に戻る。従って、着信側携帯電話端末１０において着信不能な状態が解消した場合には、着信側携帯電話端末１０の所持者が自ら操作を行うことにより、直ちにそれらの設定の解除を行うことができる。
【００３７】
一方、Ｄ１１１で「システム設定」を選択する操作が行われると、Ｄ１１３で告知条件の設定を促す画面が表示される。このＤ１１３で告知条件として「電話番号がメモリされている場合に告知」を選択する操作が行われると、発信側携帯電話端末２０の電話番号が着信側携帯電話端末１０にメモリされている場合に、発信側携帯電話端末２０に対して着信不能時間及び着信不能時間帯を告知するための処理が行われるように設定され、Ｄ１１４に進む。またＤ１１３で告知条件として「暗証番号が入力された場合に告知」を選択する操作が行われると、発信側携帯電話端末２０から予め設定された所定の暗証番号が入力された場合に、発信側携帯電話端末２０に対して着信不能時間及び着信不能時間帯を告知するための処理が行われるように設定され、Ｄ１１４に進む。
【００３８】
従って、着信側携帯電話端末１０により入力された告知条件に基づいて、着信不能理由及び着信不能時間帯の告知が行われるので、無差別に告知を行うのではなく、例えばプライバシーに関する理由や時間帯等については告知を行わないようにすることができる。なお「設定しない」を選択する操作が行われると、告知条件は設定されず、Ｄ１１４に進む。
【００３９】
図３に移り、Ｄ１１４では予め設定された複数種類の文言から着信不能理由の選択を促す画面が表示される。このＤ１１４で「電車乗車中」，「運転中」，「会議中」，「電波圏外中」，又は「海外旅行中」のいずれかを選択する操作が行われると、該着信不能理由の設定が行われてＤ１１８に進む。従って、着信側携帯電話端末１０において簡単な操作を行うことにより、着信不能理由の設定を行うことができる。なお予め設定される着信不能理由は、前記の例には限定されない。
【００４０】
またＤ１１４で「マイメニュー」を選択する操作が行われると、Ｄ１１５で着信側携帯電話端末１０の所持者の希望する文言がマイメニューとして予め登録された複数種類の文言から着信不能理由の選択を促す画面が表示される。このＤ１１５で「買い物中」，又は「英会話レッスン中」のいずれかを選択する操作が行われると、該着信不能理由の設定が行われてＤ１１８に進む。従って、着信側携帯電話端末１０において簡単な操作を行うことにより、着信側の都合に合わせた着信不能理由の設定を行うことができる。なおマイメニューとして登録される着信不能理由は、前記の例には限定されない。またＤ１１５で「マイメニュー削除」を選択する操作が行われると、マイメニューに登録されている着信不能理由の削除を行うことができる。
【００４１】
またＤ１１４で「理由入力」を選択する操作が行われると、Ｄ１１６で着信側携帯電話端末１０の所持者が希望する文言を設定可能な画面が表示される。このＤ１１６でテンキー（図示外）が操作されて着信不能理由の入力が行われ、「ＯＫ」を選択する操作が行われると、入力された着信不能理由がマイメニューに登録されると共に、該着信不能理由の設定が行われてＤ１１８に進み、「Cancel」を選択する操作が行われると、入力された着信不能理由はマイメニューに登録されず、該着信不能理由の設定が行われてＤ１１８に進む。従って、着信側の都合に合わせた着信不能理由の設定を行うことができる。
【００４２】
なおＤ１１４で「非通話時間帯設定」を選択する操作が行われると、Ｄ１１７で着信不能時間帯として、着信側携帯電話端末１０の所持者が希望する毎日一定の時間帯（以下「非通話時間帯」という。）を設定可能な画面が表示される。このＤ１１７でテンキー（図示外）が操作されて非通話時間帯（ここでは夜間のプライベートタイムである１９：００〜翌朝９：００）の入力が行われ、「ＯＫ」を選択する操作が行われると、入力された非通話時間帯が設定されてＤ１１４に戻り、「Cancel」を選択する操作が行われると、入力された非通話時間帯は設定されずにＤ１１４に戻る。
【００４３】
従って、例えば着信側携帯電話端末１０が個人の所有に係るものである場合には、昼間のオフィスタイムについて非通話時間帯の設定を行うことにより、仕事に差し支えないようすることができる。また着信側携帯電話端末１０が会社の所有に係るものである場合には、夜間のプライベートタイムについて非通話時間帯の設定を行うことにより、私的使用を抑制することができる。なお後者の場合には、非通話時間帯の設定の解除を制限する機能（例えば解除キーの登録）を付加することができ、これによって、前記個人は設定を解除できず、前記会社のみが設定を解除できるようにできるため、前記私的使用がより一層抑制される。
【００４４】
図４に移り、前記Ｄ１１４〜Ｄ１１６のいずれかより進んだＤ１１８では、着信不能時間帯の入力を促す画面が表示される。具体的には、現在の時刻（ここでは２月１日９：３０）が着信不能時間帯の開始時刻及び終了時刻の項に表示されると共に、入力の受付が可能である旨を表すカーソル１１ａが終了時刻の時の欄に表示される。ここで十字キー（図示外）が操作されることによりカーソル１１ａが開始時刻又は終了時刻の月，日，時，分の各欄に移動して入力の受付が可能となり、テンキー（図示外）が操作されることにより各欄に所望の数字が入力され、決定キー（図示外）が操作されることにより各欄に入力された数字が決定されてＤ１１９に進む。従って、着信側携帯電話端末１０において簡単な操作を行うことにより、着信不能時間帯の設定を行うことができる。
【００４５】
このＤ１１８では、着信不能時間帯の開始時刻及び終了時刻の項の双方に現在の時刻（ここでは２月１日９：３０）が表示されるので、現在の時刻から開始される着信不能時間帯を設定する場合には、カーソル１１ａを開始時刻の項に移動させなくても良い。従って、少ない操作で着信不能時間帯の入力が可能である。なお開始時刻及び終了時刻の項に表示される時刻は、現在の時刻には限定されない。
【００４６】
またＤ１１８では、終了時刻の時の欄にカーソル１１ａが表示されるので、一般に使用頻度が高い当日の着信不能時間帯を設定する場合には、カーソル１１ａを終了時刻の時，分の各欄に移動させるだけで足り、月，日の各欄には移動させなくても良い。従って、少ない操作で着信不能時間帯の入力が可能である。なおカーソル１１ａが表示される位置は、終了時刻の時の欄には限定されない。
【００４７】
さらにＤ１１８では、カーソル１１ａを開始時刻の項に移動させ、現在の時刻（ここでは２月１日９：３０）以降の未来の時刻（例えば２月１日１０：００）を入力することにより、着信不能時間帯として該未来の時刻から開始される時間帯を設定可能である。従って、着信側の都合に合わせた未来の予定の設定が可能である。
【００４８】
Ｄ１１９では、現在の設定、即ち前記Ｄ１１４〜Ｄ１１６のいずれかで設定が行われた着信不能理由（ここでは電車乗車中），及びＤ１１８で入力された着信不能時間帯（ここでは２月１日１０：００から２月１日１１：００まで）が表示されると共に、それらの設定の可否の選択を促す画面が表示される。このＤ１１９で「ＯＫ」を選択する操作が行われると、設定された着信不能理由及び着信不能時間帯が着信側携帯電話端末１０のＲＡＭに一時的に記憶されてＤ１２０に進む。なおＤ１１９で「Cancel」を選択する操作が行われると、設定された着信不能理由及び着信不能時間帯は記憶されずにＤ１１１に戻る。
【００４９】
Ｄ１２０では、別の着信不能理由や着信不能時間帯を設定するか否かの選択を促す画面が表示される。このＤ１２０で「理由から設定」を選択する操作が行われるとＤ１１４に戻り、別の着信不能理由及び着信不能時間帯の設定が受け付けられる。またＤ１２０で「時間帯から設定」を選択する操作が行われるとＤ１１８に戻り、先に設定された着信不能理由で別の着信不能時間帯の設定が受け付けられる。従って、着信側の都合に合わせた複数種類の着信不能理由及び着信不能時間帯の設定が可能である。なおＤ１２０で「設定しない」を選択する操作が行われると、表示画面１１に待受画面が表示されると共に、以下に説明する記憶及び告知のステップ（図示外）に進む。
【００５０】
まず第１実施形態に係る着信不能案内システム１では、Ｄ１２０で「設定しない」を選択する操作が行われると、着信側携帯電話端末１０のＲＡＭに一時的に記憶されている着信不能理由及び着信不能時間帯が着信側携帯電話端末１０のＥＥＰＲＯＭに記憶される。
【００５１】
ここで発信側携帯電話端末２０から着信側携帯電話端末１０宛に電話がかけられると、該電話がかけられた時刻（例えば１０：３０）が着信不能時間帯の範囲内であり、かつ前記告知条件が設定されていない場合に、着信側携帯電話端末１０から発信側携帯電話端末２０に対して、ＥＥＰＲＯＭに記憶されている着信不能理由及び着信不能時間帯が通信されて告知される。ここで該告知を受信した発信側携帯電話端末２０においては、それらが自動音声にて告知されると共に、それらが図１のＤ２１１に示すように表示画面２１に表示されて文字情報にて告知される。
【００５２】
また第２実施形態に係る着信不能案内システム１では、Ｄ１２０で「設定しない」を選択する操作が行われると、着信側携帯電話端末１０から無線基地局２を経由して留守番電話センタ３に対して、着信側携帯電話端末１０のＲＡＭに一時的に記憶されている着信不能理由及び着信不能時間帯が通信され、それらがコンピュータ６のハードディスクに記憶される。
【００５３】
ここで発信側携帯電話端末２０から着信側携帯電話端末１０宛に電話がかけられると、該電話がかけられた時刻（例えば１０：３０）が着信不能時間帯の範囲内であり、かつ前記告知条件が設定されていない場合に、留守番電話センタ３から無線基地局２を経由して発信側携帯電話端末２０に対して、コンピュータ６のハードディスクに記憶されている着信不能理由及び着信不能時間帯が通信されて告知される。ここで該告知を受信した発信側携帯電話端末２０においては、それらが自動音声にて告知されると共に、それらが図１のＤ２１１に示すように表示画面２１に表示されて文字情報にて告知される。
【００５４】
なお第１又は第２の両実施形態に係る着信不能案内システム１で、前記告知条件が設定されている場合には、発信側携帯電話端末２０から着信側携帯電話端末１０宛に電話ががかけられた時刻（例えば１０：３０）が着信不能時間帯の範囲内であっても、着信不能理由及び着信不能時間帯の告知が直ちに行われることはない。
【００５５】
例えば告知条件として「電話番号がメモリされている場合」が設定されていると、発信側携帯電話端末２０の電話番号が着信側携帯電話端末１０にメモリされている場合には、発信側携帯電話端末２０に対して、着信不能理由及び着信不能時間帯が自動音声にて告知されると共に、それらが図１のＤ２１１に示すように表示画面２１に表示されて文字情報にて告知されるが、電話番号がメモリされていない場合には、それらの告知は行われず、発信側携帯電話端末２０に対して、単に「電話に出られません。」というメッセージが自動音声にて流されると共に、該メッセージが表示画面２１に表示される。なお電話番号がメモリされていない場合に、「電話に出られません。」というメッセージが表示されず、次に説明する「暗証番号が入力された場合」が設定されている場合と同様の処理が行われるように構成することも可能である。
【００５６】
また告知条件として「暗証番号が入力された場合」が設定されていると、発信側携帯電話端末２０に対して、「暗証番号を入力してください。」というメッセージが自動音声にて流されると共に、該メッセージが表示画面２１に表示され、発信側携帯電話端末２０から所定の暗証番号が入力された場合には、発信側携帯電話端末２０に対して、着信不能理由及び着信不能時間帯が自動音声にて告知されると共に、それらが図１のＤ２１１に示すように表示画面２１に表示されて文字情報にて告知されるが、暗証番号が入力されない場合や入力された暗証番号が間違っている場合には、それらの告知は行わず、単に「電話に出られません。」というメッセージが自動音声にて流されると共に、該メッセージが表示画面２１に表示される。
【００５７】
なお着信側携帯電話端末１０において、留守番電話サービス機能の設定が行われている場合には、発信側携帯電話端末２０から入力される伝言を録音装置５で預かることができ、伝言メモ機能の設定が行われている場合には、発信側携帯電話端末２０から入力される伝言を着信側携帯電話端末１０のＥＥＰＲＯＭで録音することができる。また着信側携帯電話端末１０においては、着信不能時間帯の範囲内に発信側携帯電話端末２０から電話がかけられた場合に、その電話の着信履歴がＥＥＰＲＯＭに記憶される。
【００５８】
さらに第１及び第２の両実施形態においては、着信不能時間帯を過ぎた場合に、自動的にシステム解除が行われる。具体的には、第１実施形態においては、着信側携帯電話端末１０のＥＥＰＲＯＭに記憶されている着信不能理由，着信不能時間，告知条件等が消去され、また第２実施形態においては、コンピュータ６のハードディスクに記憶されている着信不能理由，着信不能時間，告知条件等が消去される。ただしＤ１１７で設定された非通話時間帯は自動的には解除されない。
【００５９】
［２−２．変形例に係る着信不能案内システム］
変形例に係る着信不能案内システム１では、着信側携帯電話端末１０の表示画面１１に図２，図３，及び図５に示す画面が表示され、着信側携帯電話端末１０で所定の操作（例えば十字キーの操作による選択，テンキーの操作による入力，決定キーの操作による決定等）が行われることにより、前記Ｄ１１１〜Ｄ１１７と同様に着信不能理由及び非通話時間帯の設定が行われ、また着信側携帯電話端末１０で所定の操作（ここではテンキーの操作による入力のみ）が行われることにより、後述するＤ１１８’〜Ｄ１１９’に示すように着信不能時間帯の設定が行われる。
【００６０】
なお前記Ｄ１１１で「システム解除」を選択する操作が行われると、前記Ｄ１１２に代えてＤ１１２’で現在の設定が表示され、「ＯＫ」を選択する操作が行われると、現在設定されている着信不能理由，及び着信可能となる時刻（以下「着信可能時刻」という。）の設定が解除されてＤ１１１に戻り、また「Cancel」を選択する操作が行われると、それらの設定は解除されずにＤ１１１に戻る。
【００６１】
図５に移り、前記Ｄ１１４〜Ｄ１１６のいずれかより進んだＤ１１８’では、着信不能な時間（以下「着信不能時間」という。）の入力を促す画面が表示される。具体的には、現在の時刻（ここでは２月１日９：３０）が表示されると共に、前記カーソル１１ａが着信不能時間の欄に表示される。ここでテンキー（図示外）が操作されることにより着信不能時間に所望の数字が入力されると、Ｄ１１９’に進む。従って、着信側携帯電話端末１０において着信不能時間を入力するだけという簡単な操作を行うことにより、着信可能時刻の演算の基礎となる着信不能時間の設定を行うことができる。
【００６２】
なおＤ１１８’では、テンキーが例えば「３０＃」と操作されることにより着信不能時間が３０分と入力され、また「１３０＃」と操作されることにより着信不能時間が１時間３０分と入力され、また「１２００＃」と操作されることにより着信不能時間が１２時間と入力され、さらに「＊３＃」と操作されることにより着信不能時間が３日間と入力される。
【００６３】
Ｄ１１９’では、現在の設定、即ち前記Ｄ１１４〜Ｄ１１６のいずれかで設定が行われた着信不能理由（ここでは電車乗車中），及びＤ１１８’で入力された着信不能時間を現在の時刻に加算更新する演算が行われた着信可能時刻（ここでは２月１日１１：００）が表示されると共に、それらの設定の可否の選択を促す画面が表示される。このＤ１１９’で「ＯＫ」を選択する操作が行われると、表示画面１１に待受画面が表示されると共に、設定された着信不能理由，及び着信不能時間帯（ここでは着信不能時間の入力を受け付けた時刻（即ち現在の時刻）から着信可能時刻まで）が着信側携帯電話端末１０のＲＡＭに一時的に記憶されて、前記記憶及び告知のステップ（図示外）に進む。なおＤ１１９’で「Cancel」を選択する操作が行われると、設定された着信不能理由及び着信不能時間帯は記憶されずにＤ１１１に戻る。
【００６４】
その後に前記記憶及び告知のステップが行われ、着信不能理由及び着信不能時間帯の告知を受信した発信側携帯電話端末２０においては、それらが自動音声にて告知されると共に、それらが図１のＤ２１１’に示すように表示画面２１に表示されて文字情報にて告知される。なお前記告知条件が設定されている場合の処理や、着信不能時間帯を過ぎた場合に自動的にシステム解除が行われる処理は、前記第１及び第２の両実施形態と同様である。
【００６５】
［３．着信不能案内システムの他の実施形態］
最後に本発明に係る着信不能案内システム１の他の実施形態について説明する。
【００６６】
まず本発明は、着信側及び発信側の双方の電話端末が固定電話端末（一般加入電話端末）である場合（即ち固定電話システム）にも同様に適用可能であり、また着信側又は発信側のいずれかの電話端末が携帯電話端末であると共に、着信側又は発信側のいずれかの電話端末が固定電話端末である場合にも同様に適用可能である。
【００６７】
従って着信側が固定電話端末である例では、着信側固定電話端末において買い物中，会議中，海外旅行中等の様々な事情で着信不能である場合に、着信側固定電話端末において簡単な操作を行うことにより、前記と同様の作用で、発信側電話端末（固定又は携帯）に対して着信不能理由及び着信不能時間帯の案内が行われ、かつ着信不能時間帯を過ぎた場合に自動的にシステム解除が行われるような着信不能案内システム１及び着信不能案内方法が構成される。
【００６８】
また本発明は、着信側携帯電話端末１０及び発信側携帯電話端末２０が簡易型携帯電話（いわゆるＰＨＳ）である場合にも適用可能である。
【００６９】
また前記の実施形態では、着信側携帯電話端末１０で所定の操作（例えば十字キーの操作による選択，テンキーの操作による入力，決定キーの操作による決定等）が行われることにより、着信不能理由及び着信不能時間帯の入力が受け付けられる例について説明したが、本発明はこれに限られず、例えばそれらの入力が音声により受け付けられて音声識別ソフトにより文字に変換されるように構成することも可能である。
【００７０】
また前記の実施形態では、発信側携帯電話端末２０における着信不能理由及び着信不能時間帯が自動音声及び文字情報の両方にて告知される例について説明したが、本発明はこれに限られず、例えばそれらが自動音声又は文字情報のいずれか一方にて告知されるように構成することも可能である。
【００７１】
また前記の第２実施形態では、記憶手段及び告知手段が留守番電話センタに備えられる例について説明したが、本発明はこれに限られず、例えばそれらが電話会社やその他の第三者機関に備えられるように構成することも可能である。
【００７２】
また前記の実施形態では、Ｄ１１３で告知条件の設定が促され、Ｄ１２０で複数種類の着信不能理由や着信不能時間帯の設定が促される例について説明したが、本発明はこれに限られず、より簡単な操作を実現するために、着信側携帯電話端末１０に設けたマスタメニュー画面においてこれらの設定が別個に行われ、通常の操作においてはこれらの設定を促す画面が表示されないように構成することも可能である。
【００７３】
さらに着信不能時間帯を直接入力する前記第１又は第２の両実施形態と、着信不能時間を入力して着信可能時刻を演算する前記変形例とが、着信側携帯電話端末１０に設けたマスタメニュー画面において所定の操作を行うことにより切り換えられるように構成することも可能である。
【００７４】
なお前記の実施形態において、着信不能理由や着信不能時間帯を設定せずに、単に着信不能である旨を設定することも可能であり、このような設定が行われた場合には、着信不能理由や着信不能時間帯が特定されずに、例えば「所用により電話に出られません。」という案内が行われる。
【００７５】
以上のように、本発明に係る着信不能案内システムは、携帯電話システムや固定電話システムにおいて、着信側電話端末において様々な事情で着信不能である場合に、発信側電話端末に対する着信不能の案内を十分に行うことができるため、携帯電話システムや固定電話システムの利便性を飛躍的に向上させるためのシステムとして利用可能である。
【図面の簡単な説明】
【００７６】
【図１】図１は、着信不能案内システムの一例を表す機能ブロック図である。
【図２】図２は、着信側携帯電話端末の表示画面に表示される表示内容の一例を表す図である。
【図３】図３は、図２に続く図である。
【図４】図４は、図３に続く図である。
【図５】図５は、図３に続く図である。
【符号の説明】
【００７７】
１…着信不能案内システム
２…無線基地局
３…留守番電話センタ
４…交換機
５…録音装置
６…コンピュータ
１０…着信側携帯電話端末
１１…表示画面
１１ａ…スクロールバー
１２…スライドカバー
２０…発信側携帯電話端末
２１…表示画面
２２…スライドカバー
【図１】
0004147110.tif 000002
【図２】
0004147110.tif 000003
【図３】
0004147110.tif 000004
【図４】
0004147110.tif 000005
【図５】
0004147110.tif 000006